(57)【要約】【課題】打球用スポーツにおいて正しいアドレスを効率良く身に着けることができるよう工夫された、新規且つ有用なアドレスチェッカーの提供。【解決手段】眼鏡に着脱自在に取付けられ、且つ支持されたレンズを跳ね上げることができる前掛け式のアドレスチェッカー１で、レンズ３に細いライン５が形成されている。これをメイン眼鏡に前掛けすると、視界に上記ライン５がアドレスラインとして映し出される。従って、アドレスの姿勢をとってボールを見ると、両肩を含めた体全体が飛球線に平行になっている正しい姿勢のときには、頭に描いた飛球線とアドレスラインが一致するが、傾いているときはずれる。利目の関係でズレ易いが、この器具を利用することで、容易に修正できる。【選択図】  図１
2016140680.tif 000002
【特許請求の範囲】
【請求項１】
眼鏡に着脱自在に取付けられ、且つ支持されたレンズを跳ね上げることができる前掛け式サブフレームと、前記レンズに形成され、視界にアドレスラインを映し出すライン映出部とを備え、
プレイヤーが装着してアドレス姿勢をとると、視界にそのプレイヤーの体の向きに平行なアドレスラインが映し出されて、アドレスのチェックが可能となっていることを特徴とする打球用アドレスチェッカー。
【請求項２】
請求項１に記載した打球用アドレスチェッカーにおいて、
ライン映出部は左右のレンズにそれぞれ横一直線状に描かれた線状マークで構成されており、且つ前記左レンズの線状マークと前記右レンズの線状マークは一直線状に並んでいることを特徴とするアドレスチェッカー。
【請求項３】
請求項２に記載した打球用アドレスチェッカーにおいて、
前記線状マークはペイントまたはレーザー刻印で描かれていることを特徴とするアドレスチェッカー。
【請求項４】
請求項１から３のいずれかに記載した打球用アドレスチェッカーにおいて、
レンズは水平方向の光を通過させる偏光レンズになっていることを特徴とするアドレスチェッカー。
【発明の詳細な説明】
【技術分野】
【０００１】
本発明は、ゴルフ等、シャフト状の用具を利用してボールを打つスポーツで、打球する際のアドレスをチェックできるアドレスチェッカーに関するものである。
【背景技術】
【０００２】
プレイヤーの練習用には種々のものがあり、その一つに特許文献１に記載のようなゴルフ練習機が提案されている。このゴルフ練習機は、メインバーをシャフトプレーンに合わせて、プレイヤーの後方に設置しておくので、プレイヤーは自らスイングの軌道とそのメインバーの同異を視覚的にチェックできるようになっている。
ゴルフレッスン中に口頭で悪い箇所を指摘されただけでは、修正するのは容易ではないが、上記したものを含めた練習機を併用することで、プレイヤーが自然と適切なスイングを身に着けることができると謳われている。
【先行技術文献】
【特許文献】
【０００３】
【特許文献１】実用新案登録第３１１５９７５号公報
【発明の概要】
【発明が解決しようとする課題】
【０００４】
而して、ゴルフにおいて、アドレス（構え方）が基本であり、これを正しく身に着けてこそ、適切なスイングを行うことができるが、上記のように、既存のゴルフ練習機は概してスイング等にばかり着目されている。これは、その他の打球タイプのスポーツ用練習機についても言えることである。
本発明は上記従来の問題点に着目して為されたものであり、打球用スポーツにおいて正しいアドレスを効率良く身に着けることができるよう工夫された、新規且つ有用なアドレスチェッカーの提供を、その目的とする。
【課題を解決するための手段】
【０００５】
本発明者は、鋭意観察の結果、両目を繋ぐ向きの目線が真っ直ぐにボールを見ていると思っても、利目側でより強くボールを見るので、目線だけが微妙に傾いてしまう傾向があり、また、両肩、腰、両足に至る体全体も飛球線に対して概ね平行にしたと感じていても、上記した目線の影響を受けるので結果的に無意識に傾けてしまっていることがあることを見出した。
正しいアドレスでは目線がボールの理想とする飛球線に平行になり、その結果として頭の軸から両肩、腰、両足に至る体全体も飛球線にきっちりと平行になることから、発明者は、上記知見に基づいて、プレイヤーがアドレス姿勢をとったときの目線に着目し、そのプレイヤーの視界にその目線をアドレスラインとして映し出す道具を考案した。
該道具を用いれば、そのプレイヤーは、そのアドレスラインを頭の中で描いた仮想飛球線に一致させるよう目線の修正をすることができると同時に、体全体の傾きも確認・修正ができる。
特に、頭の軸については傾いていると、スイング時に仮想飛球線に対して左右非対称の回転となり、ボールが思わぬ方向に飛び出したり、空中で曲がったりしてしまう大きな原因であったにも関わらず、従来はチェックが不可能であったことから、その部位も含めて自然に修正されることは非常に価値のあるものと言える。
【０００６】
すなわち、本発明は上記課題を解決するためになされたものであり、請求項１の発明は、眼鏡に着脱自在に取付けられ、且つ支持されたレンズを跳ね上げることができる前掛け式サブフレームと、前記レンズに形成され、視界にアドレスラインを映し出すライン映出部とを備え、プレイヤーが装着してアドレス姿勢をとると、視界にそのプレイヤーの体の向きに平行なアドレスラインが映し出されて、アドレスのチェックが可能となっていることを特徴とする打球用アドレスチェッカーである。
【０００７】
請求項２の発明は、請求項１に記載した打球用アドレスチェッカーにおいて、ライン映出部は左右のレンズにそれぞれ横一直線状に描かれた線状マークで構成されており、且つ前記左レンズの線状マークと前記右レンズの線状マークは一直線状に並んでいることを特徴とするアドレスチェッカーである。
【０００８】
請求項３の発明は、請求項２に記載した打球用アドレスチェッカーにおいて、前記線状マークはペイントまたはレーザー刻印で描かれていることを特徴とするアドレスチェッカーである。
【０００９】
請求項４の発明は、請求項１から３のいずれかに記載した打球用アドレスチェッカーにおいて、レンズは水平方向の光を通過させる偏光レンズになっていることを特徴とするアドレスチェッカーである。
【発明の効果】
【００１０】
本発明のアドレスチェッカーは前掛け眼鏡の仕様になっているので、プレイヤーは容易に装着できる。そして、そのアドレスチェッカーを利用すれば、そのプレイヤーがアドレスの姿勢をとったときに体が傾いていれば視覚的に直ぐ分かるので、正しいアドレスに修正することが容易で、その修正の容易さにより正しいアドレスが自然に身に付く。
【図面の簡単な説明】
【００１１】
【図１】本発明の実施の形態に係るゴルフ用アドレスチェッカーの正面図である。
【図２】図１のゴルフ用アドレスチェッカーをメイン眼鏡に取付けた状態を示す正面図である。
【図３】図２でメイン眼鏡と一体としたアドレスチェッカーのスイングにおける使用状態の説明図である。
【図４】図３におけるチェック方法の説明図である。
【図５】図４でのチェック後のスイングの説明図である。
【発明を実施するための形態】
【００１２】
本発明の実施の形態に係るゴルフ用アドレスチェッカー１を、図面にしたがって説明する。
図１に示すように、このアドレスチェッカー１は、通常の眼鏡に対する前掛け眼鏡、すなわちサブフレームとして構成されている。
アドレスチェッカー１は、一対のレンズ３、３を備えている。この一対のレンズ３、３は眼鏡用レンズとして成型されている。各レンズ３は、偏光レンズによって構成され、水平方向の光のみを通過させるようになっている。
各レンズ３には、細い線帯状のマーク５が描かれている。このマーク５はレンズ３の中間より稍上側で横方向に延びており、左右両端寄りまで至っている。このマーク５は視認し易いようペイントまたはレーザー刻印で描かれて着色されている。
【００１３】
符号７はブリッジを示し、このブリッジ７は左右両端側が折り曲げられており、下方に向かって延びている。この左右の折り曲げ部分に上記したレンズ３、３がそれぞれ固定されて、レンズ３、３が左右に配される。このときに、左右のレンズ３、３にそれぞれ描かれたマーク５、５は上下方向の位置が揃うので一直線状に並んだ状態となっている。
【００１４】
符号９は装着部を示し、この装着部９に上記したブリッジ７の中間の水平軸部分が回転可能に挿通され支持されている。また、装着部９には左右両側からそれぞれクリップ１１の一対の挟持片１３、１３が延出しており、中間には一対の摘み片１５、１５で構成された押圧部１７が配されている。
摘み片１５、１５を摘んで互いに接近するように押圧するとクリップ１１の一対の挟持片１３、１３が弾性的に拡開し、離すと挟持片１３、１３が閉じる。
【００１５】
アドレスチェッカー１は上記したように構成されている。
アドレスチェッカー１を前掛けするメインの眼鏡Ｍは、図２に示すように、通常の視力矯正用眼鏡であり、一対のレンズＬがフルリムＲに内嵌されており、ノーズパッドＮで鼻を両脇から挟むようにして眼鏡を固定し、イヤーパッドで耳に掛けて装着するようになっている。
アドレスチェッカー１のクリップ１１の挟持片１３、１３をメイン眼鏡Ｍの左右のリムＲ、Ｒに上側からそれぞれ挟み込むと、メイン眼鏡ＭのレンズＬ、Ｌに前方側からレンズ３、３が重ね合わされた、すなわち二重レンズ状態となる。このレンズ３、３は、ブリッジ７の回転機構を利用することで跳ね上げすることが可能となっている。
【００１６】
次に、アドレスチェッカー１を使用したアドレスのチェック方法について説明する。
プレイヤーは、メイン眼鏡Ｍにアドレスチェッカー１を前掛けした状態で装着する。そして、静止したボールＢに対して適正なボール位置となるよう、立ち位置を決めて立つ。
次に、プレイヤーはボールＢを上側から見てその仮想飛球線（Ｘ）を頭の中で描きながら、図３に示すように、クラブＣを握り、セットアップしてアドレス姿勢をとる。
【００１７】
セットアップの際、プレイヤーはアドレスチェッカー１を介してボールＢを見ることにもなるので、その視界にはボールＢと共に、目線の直ぐ先にあるマーク５がアドレスラインＡとして地面に映し出されている。
レンズ３が偏光レンズになっているので、アドレスラインＡの上下部分は防眩効果が働いていることも有って、アドレスラインＡは視認し易いものになっている。
【００１８】
図４に示すものが、プレイヤーの視界に映し出される。
プレイヤーの両肩Ｓの向きを反映したアドレスラインＡが視界にボールＢと共に移り出されている。
アドレスラインＡはボールＢを跨いでいる。
プレイヤーは頭の中で描いたボールＢを飛ばしたい方向、すなわち仮想飛球線ＸがこのアドレスラインＡと一致しているか否かをチェックする。
【００１９】
例えば、図４（１）では、仮想飛球線Ｘ（一点鎖線）がアドレスラインＡと重なり合って一致している。一方、図４（２）では、飛球線（一点鎖線）とアドレスラインＡが交差してずれている。
図４（１）が正しいアドレスであり、図４（２）のように視界に映し出されたときには、プレイヤーは、図４（１）に示すように両肩Ｓを含めた体全体の向きを修正する。
このように、アドレスラインＡを介して両肩Ｓを含めた体全体の向きが飛球線と平行になっているか否かを視覚的に直ちに確認できるので、頭の軸、両肩、腰、脚のラインも含めてアドレス全体の修正も容易となっている。
【００２０】
プレイヤーは、アドレスを修正した後で、アドレスチェッカー１を跳ね上げ、図５に示すようにスイングすることになる。
従って、プレイヤーはアドレスチェッカー１を装着していても、通常のプレイをするのに何ら支障はない。
【００２１】
アドレスチェッカー１は、コンパクトで且つメイン眼鏡Ｍに対して着脱自在となっているので、携帯し易い。また、メイン眼鏡Ｍとは別体となっているので、メイン眼鏡Ｍを換えても使用できる。従って、メイン眼鏡Ｍを曇り等の環境に応じて複数使い分けることも可能である。
【００２２】
また、上記では、スイング時におけるアドレスのチェック方法を説明しているが、パッティングにおいてもこのアドレスチェッカー１を利用してアドレスをチェックできる。
【００２３】
以上、本発明の実施の形態について詳述してきたが、具体的構成は、この実施の形態に限られるものではなく、本発明の要旨を逸脱しない範囲における設計の変更などがあっても発明に含まれる。
例えば、目線のチェックによりアドレスを修正できるものであれば特に限定されず、ゴルフ用だけでなく、テニス、野球用にも適用できる。
また、上記の実施の形態では、メイン眼鏡にもレンズが入っているが、レンズを入れずに単式として利用してもよい。
【符号の説明】
【００２４】
１…スイングチェッカー
３…レンズ      ５…マーク      ７…ブリッジ      ９…装着部
１１…クリップ      １３…挟持片      １５…摘み片      １７…押圧部
Ｍ…メイン眼鏡      Ｌ…レンズ      Ｒ…リム      Ｎ…ノーズパッド
Ａ…アドレスライン      Ｘ…飛球線
【図１】
2016140680.tif 000003
【図２】
2016140680.tif 000004
【図３】
2016140680.tif 000005
【図４】
2016140680.tif 000006
【図５】
2016140680.tif 000007